(57)【要約】  壁に装置を回動可能に取り付けるためのシステムおよび方法を開示する。ウォールマウントは、接触パッドを有する電源コネクタディスクと、少なくとも１つの取付孔と、少なくとも１つの回転を抑制するためのタブとを有し、壁に取り付けられる壁側プレートと、上向き方向に延伸する少なくとも１つの取付用ツノ部と、円形の中央開口部と、少なくとも１つの内側に突出する回転タブとを有し、前記壁側プレートと同軸係合するように構成された回転体プレートと、円形の中央開口部と、内部に延伸する少なくとも１つのストリップとを有し、前記回転体プレートおよび前記壁側プレートと同軸係合するように構成され、回転体プレートを囲むように壁側プレートに固定される正面プレートと、前記接触パッドを受け入れる接触点と、前記取付用ツノ部を受け入れる少なくとも１つのスロットと、前記ストリップを受け入れる少なくとも１つのフラップとを有する、装置に結合される背面カバーとを備える。
2019511109.tif 000002
【特許請求の範囲】
【請求項１】
壁に電子装置を回動可能に取り付けるためのシステムであって、
一対の接触パッドを有する電源コネクタディスクと、
中央開口部と、少なくとも１つの取付孔と、少なくとも１つの突出した回転抑制タブとを有し、前記壁に取り付けられるように構成された壁側プレートと、
周縁部から上向き方向に延伸する少なくとも１つの取付用ツノ部と、少なくとも１つの内側に突出する回転タブを有する円形の中央開口部とを有し、前記壁側プレートと同軸係合するように構成された回転体プレートと、
円形内縁部によって画定される円形の中央開口部と、前記円形内縁部に沿って前記中央開口部の内部に延伸する少なくとも１つのストリップとを有し、前記回転体プレートおよび前記壁側プレートと同軸係合するように構成された正面プレートであって、前記壁側プレートと前記正面プレートとの間で前記回転体プレートを囲むように前記壁側プレートに固定される正面プレートと、
前記一対の接触パッドと接触する位置に設けられた一対の電源接触点と、前記取付用ツノ部を受け入れる大きさの少なくとも１つのツノ部用スロットと、前記少なくとも１つのストリップを受け入れる大きさの少なくとも１つのフラップとを有し、前記電子装置に取り付けられるように構成された背面カバーとを備え、
前記ストリップは、第１の位置において前記フラップ内に入るように配置され、前記ストリップは、第２の位置において前記フラップから外れるように配置され、
前記壁側プレートおよび前記正面プレートに対する前記回転体プレートの回転は、前記少なくとも１つの回転抑制タブと前記少なくとも１つの回転タブとの相互作用により規定される、
システム。
【請求項２】
前記少なくとも１つのツノ部用スロットは、前記電子装置が垂直位置にあるとき、前記少なくとも１つの取付用ツノ部を下方から受け入れる、請求項１に記載のシステム。
【請求項３】
前記第１の位置は水平位置であり、前記第２の位置は垂直位置である、請求項１に記載のシステム。
【請求項４】
前記壁側プレート、前記回転体プレートおよび前記正面プレートの厚さは、合わせて約８ミリメートルである、請求項１に記載のシステム。
【請求項５】
前記壁側プレート、前記回転体プレートおよび前記正面プレートの厚さは、合わせて約７．８ミリメートルを超えない、請求項４に記載のシステム。
【請求項６】
前記正面プレートは、前記壁側プレートにある前記少なくとも１つの取付孔と対応関係にある少なくとも１つの取付孔をさらに備える、請求項１に記載のシステム。
【請求項７】
前記正面プレートにある前記少なくとも１つのストリップは、刃状部を有する、請求項１に記載のシステム。
【請求項８】
前記壁側プレートは、電源ケーブル用のチャネルをさらに備える、請求項１に記載のシステム。
【請求項９】
前記接触パッドは、弧状のものである、請求項１に記載のシステム。
【請求項１０】
前記接触パッドは、電源に取り外し可能に取り付けられたコネクタに接続される、請求項１に記載のシステム。
【請求項１１】
前記接触パッドは、前記回転中、前記電源接触点に継続的に電力を提供する、請求項１に記載のシステム。
【請求項１２】
前記壁側プレートは、ねじで前記壁に取り付けられるように構成される、請求項１に記載のシステム。
【請求項１３】
前記壁側プレートは、両面接着テープで前記壁に取り付けられるように構成される、請求項１に記載のシステム。
【請求項１４】
前記電子装置は、前記壁から２．５ｍｍ以下の位置に取り付けられる、請求項１に記載のシステム。
【請求項１５】
壁に電子装置を回動可能に取り付けるための方法であって、
一対の接触パッドを有する電源コネクタディスクを設けるステップと、
中央開口部と、少なくとも１つの取付孔と、少なくとも１つの突出した回転抑制タブとを有し、前記壁に取り付けられるように構成された壁側プレートを設けるステップと、
周縁部から上向き方向に延伸する少なくとも１つの取付用ツノ部と、少なくとも１つの内側に突出する回転タブを有する円形の中央開口部とを有し、前記壁側プレートと同軸係合するように構成された回転体プレートを設けるステップと、
円形内縁部によって画定される円形の中央開口部と、前記円形内縁部に沿って前記中央開口部の内部に延伸する少なくとも１つのストリップとを有し、前記壁側プレートおよび前記回転体プレートと同軸係合するように構成された正面プレートであって、前記壁側プレートと前記正面プレートとの間で前記回転体プレートを囲むように前記壁側プレートに固定される正面プレートを設けるステップと、
前記一対の接触パッドと接触する一対の電源接触点と、前記少なくとも１つの取付用ツノ部を受け入れる大きさの少なくとも１つのツノ部用スロットと、前記少なくとも１つのストリップを受け入れる大きさの少なくとも１つのフラップとを有し、前記電子装置に取り付けられるように構成された背面カバーとを設けるステップと、
前記壁側プレート、前記回転体プレートおよび前記正面を壁に取り付けるステップと、
前記回転体プレートの上方に前記表示装置に接続された前記背面カバーを位置づけ、前記少なくとも１つのツノ部用スロットが前記少なくとも１つの取付用ツノ部の上部に置かれるように、前記表示装置に接続された前記背面カバーを前記回転体プレートの方へ下げるステップとを含み、
前記ストリップは、第１の位置において前記フラップ内に入るように配置され、前記ストリップは、前記装置が第２の位置にあるとき、前記フラップから外れるように配置され、
前記壁側プレートおよび前記正面プレートに対する前記回転体プレートの回転は、前記少なくとも１つの回転抑制タブと前記少なくとも１つの回転タブとの相互作用により規定される、
方法。
【請求項１６】
前記少なくとも１つのツノ部用スロットは、前記電子装置が垂直位置にあるとき、前記少なくとも１つの取付用ツノ部を下方から受け入れる、請求項１５に記載の方法。
【請求項１７】
前記第１の位置は水平位置であり、前記第２の位置は垂直位置である、請求項１５に記載の方法。
【請求項１８】
前記壁側プレート、前記回転体プレートおよび前記正面プレートの厚さは、合わせて約８ミリメートルである、請求項１５に記載の方法。
【請求項１９】
前記壁側プレート、前記回転体プレートおよび前記正面プレートの厚さは、合わせて約７．８ミリメートルを超えない、請求項１８に記載の方法。
【請求項２０】
前記正面プレートは、前記壁側プレートにある前記少なくとも１つの取付孔と対応する少なくとも１つの取付孔をさらに備える、請求項１５に記載の方法。
【請求項２１】
前記正面プレートにある前記少なくとも１つのストリップは、刃状部を有する、請求項１５に記載の方法。
【請求項２２】
前記壁側プレートは、電源ケーブル用のチャネルをさらに備える、請求項１５に記載の方法。
【請求項２３】
前記接触パッドは、弧状のものである、請求項１５に記載の方法。
【請求項２４】
前記接触パッドは、電源に取り外し可能に取り付けられたコネクタに接続される、請求項１５に記載の方法。
【請求項２５】
前記接触パッドは、前記回転中、前記電源接触点に継続的に電力を提供する、請求項１５に記載の方法。
【請求項２６】
前記壁側プレートは、ねじで前記壁に取り付けられるように構成される、請求項１５に記載の方法。
【請求項２７】
前記壁側プレートは、両面接着テープで前記壁に取り付けられるように構成される、請求項１５に記載の方法。
【請求項２８】
前記電子装置は、前記壁から２．５ｍｍ以下の位置に取り付けられる、請求項１５に記載の方法。
【請求項２９】
壁に表示装置を回動可能に取り付けるためのシステムであって、
背面カバーを有する表示装置と、
一対の接触パッドを有する電源コネクタディスクと、
中央開口部と、少なくとも１つの取付孔と、少なくとも１つの突出した回転抑制タブとを有し、前記壁に取り付けられるように構成された壁側プレートと、
周縁部から上向き方向に延伸する少なくとも１つの取付用ツノ部と、少なくとも１つの内側に突出する回転タブを有する円形の中央開口部とを有し、前記壁側プレートと同軸係合するように構成された回転体プレートと、
円形内縁部によって画定される円形の中央開口部と、前記円形内縁部に沿って前記中央開口部の内部に延伸する少なくとも１つのストリップとを有し、前記回転体プレートおよび前記壁側プレートと同軸係合するように構成された正面プレートであって、前記壁側プレートと前記正面プレートとの間で前記回転体プレートを囲むように前記壁側プレートに固定される正面プレートとを備え、
前記背面カバーは、前記一対の接触パッドと接触する一対の電源接触点と、前記取付用ツノ部を受け入れる大きさの少なくとも１つのツノ部用スロットと、前記少なくとも１つのストリップを受け入れる大きさの少なくとも１つのフラップとを有し、前記表示装置に取り付けられるように構成され、
前記ストリップは、第１の位置において前記フラップ内に入るように配置され、前記ストリップは、第２の位置において前記フラップから外れるように配置され、
前記壁側プレートおよび前記正面プレートに対する前記回転体プレートの回転は、前記少なくとも１つの回転抑制タブと前記少なくとも１つの回転タブとの相互作用により規定される、
システム。
【請求項３０】
前記少なくとも１つのツノ部用スロットは、前記表示装置が垂直位置にあるとき、前記少なくとも１つの取付用ツノ部を下方から受け入れる、請求項２９に記載のシステム。
【請求項３１】
前記第１の位置は水平位置であり、前記第２の位置は垂直位置である、請求項２９に記載のシステム。
【請求項３２】
前記壁側プレート、前記回転体プレートおよび前記正面プレートの厚さは、合わせて約８ミリメートルである、請求項２９に記載のシステム。
【請求項３３】
前記壁側プレート、前記回転体プレートおよび前記正面プレートの厚さは、合わせて約７．８ミリメートルを超えない、請求項３２に記載のシステム。
【請求項３４】
前記正面プレートは、前記壁側プレートにある前記少なくとも１つの取付孔と対応する少なくとも１つの取付孔をさらに備える、請求項２９に記載のシステム。
【請求項３５】
前記正面プレートにある前記少なくとも１つのストリップは、刃状部を有する、請求項２９に記載のシステム。
【請求項３６】
前記壁側プレートは、電源ケーブル用のチャネルをさらに備える、請求項２９に記載のシステム。
【請求項３７】
前記接触パッドは、弧状のものである、請求項２９に記載のシステム。
【請求項３８】
前記接触パッドは、電源に取り外し可能に取り付けられたコネクタに接続される、請求項２９に記載のシステム。
【請求項３９】
前記接触パッドは、前記回転中、前記電源接触点に継続的に電力を提供する、請求項２９に記載のシステム。
【請求項４０】
前記壁側プレートは、ねじで前記壁に取り付けられるように構成される、請求項２９に記載のシステム。
【請求項４１】
前記壁側プレートは、両面接着テープで前記壁に取り付けられるように構成される、請求項２９に記載のシステム。
【請求項４２】
前記電子装置は、前記壁から２．５ｍｍ以下の位置に取り付けられる、請求項２９に記載のシステム。
【請求項４３】
壁に表示装置を回動可能に取り付けるための方法であって、
一対の接触パッドを有する電源コネクタディスクを設けるステップと、
中央開口部と、少なくとも１つの取付孔と、少なくとも１つの突出した回転抑制タブとを有し、前記壁に取り付けられるように構成された壁側プレートを設けるステップと、
周縁部から上向き方向に延伸する少なくとも１つの取付用ツノ部と、少なくとも１つの内側に突出する回転タブを有する円形の中央開口部とを有し、前記壁側プレートと同軸係合するように構成された回転体プレートを設けるステップと、
円形内縁部によって画定される円形の中央開口部と、前記円形内縁部に沿って前記中央開口部の内部に延伸する少なくとも１つのストリップとを有し、前記壁側プレートおよび前記回転体プレートと同軸係合するように構成された正面プレートであって、前記壁側プレートと前記正面プレートとの間で前記回転体プレートを囲むように前記壁側プレートに固定される正面プレートを設けるステップと、
前記一対の接触パッドと接触する一対の電源接触点と、前記少なくとも１つの取付用ツノ部を受け入れる大きさの少なくとも１つのツノ部用スロットと、前記少なくとも１つのストリップを受け入れる大きさの少なくとも１つのフラップとを有し、前記表示装置に取り付けられるように構成され、前記表示装置の背面に取り付けられる背面カバーとを設けるステップと、
前記壁側プレート、前記回転体プレートおよび前記正面を壁に取り付けるステップと、
前記回転体プレートの上方に前記表示装置に接続された前記背面カバーを位置づけ、前記少なくとも１つのツノ部用スロットが前記少なくとも１つの取付用ツノ部の上部に置かれるように、前記表示装置に接続された前記背面カバーを前記回転体プレートの方へ下げるステップとを含み、
前記ストリップは、第１の位置において前記フラップ内に入るように配置され、前記ストリップは、前記装置が第２の位置にあるとき、前記フラップから外れるように配置され、
前記壁側プレートおよび前記正面プレートに対する前記回転体プレートの回転は、前記少なくとも１つの回転抑制タブと前記少なくとも１つの回転タブとの相互作用により規定される、
方法。
【請求項４４】
前記少なくとも１つのツノ部用スロットは、前記表示装置が垂直位置にあるとき、前記少なくとも１つの取付用ツノ部を下方から受け入れる、請求項４３に記載の方法。
【請求項４５】
前記第１の位置は水平位置であり、前記第２の位置は垂直位置である、請求項４３に記載の方法。
【請求項４６】
前記壁側プレート、前記回転体プレートおよび前記正面プレートの厚さは、合わせて約８ミリメートルである、請求項４３に記載の方法。
【請求項４７】
前記壁側プレート、前記回転体プレートおよび前記正面プレートの厚さは、合わせて約７．８ミリメートルを超えない、請求項４６に記載の方法。
【請求項４８】
前記正面プレートは、前記壁側プレートにある前記少なくとも１つの取付孔と対応した位置に設けられた少なくとも１つの取付孔をさらに備える、請求項４３に記載の方法。
【請求項４９】
前記正面プレートにある前記少なくとも１つのストリップは、刃状部を有する、請求項４３に記載の方法。
【請求項５０】
前記壁側プレートは、電源ケーブル用のチャネルをさらに備える、請求項４３に記載の方法。
【請求項５１】
前記接触パッドは、弧状のものである、請求項４３に記載の方法。
【請求項５２】
前記接触パッドは、前記回転中、前記電源接触点に継続的に電力を提供する、請求項４３に記載の方法。
【請求項５３】
前記壁側プレートは、ねじで前記壁に取り付けられるように構成される、請求項４３に記載の方法。
【請求項５４】
前記壁側プレートは、両面接着テープで前記壁に取り付けられるように構成される、請求項４３に記載の方法。
【請求項５５】
前記電子装置は、前記壁から２．５ｍｍ以下の位置に取り付けられる、請求項４３に記載の方法。
【発明の詳細な説明】
【技術分野】
【０００１】
本発明は、一般に、壁に電子装置を回動可能に取り付けるためのシステムおよび方法に関する。本発明は、壁面上での自機位置を軸にして装置を容易に回転させることを可能にするウォールマウントと装置に接続される背面カバーとを提供する。
【背景技術】
【０００２】
ここ数十年で多くの人が電子装置を娯楽の主な発信源として利用するようになってきた。このような利用の高まりに伴い、装置の薄型化や軽量化が図られたことで、取付けが容易なものやユーザが手で持てるものへと装置の態様が変化してきた。また、これらの新しい装置は、装置の向きを直感的に変えて全回転できるような設計もなされてきた。より快適なユーザ体験が得られるように、このような軽量の装置を壁に取り付けたいと思う人が多く存在する。ウォールマウントには、この目的に合わせた設計がなされたものも多いが、全回転可能なものはほとんどない。全回転を可能にするウォールマウントは、重く、嵩張り、見た目もよくない。また、取り付ける壁にダメージを与える可能性もあり、使用しにくいという難点がある。したがって、装置の全回転を可能にしながら、軽量で、使用しやすく、目立たないウォールマウントを提供することが好適である。
【発明の概要】
【発明が解決しようとする課題】
【０００３】
本明細書に記載する発明は、装置を全回転させることが可能な、およそ８ミリメートル厚の電子装置用ウォールマウントである。ウォールマウントは、本発明のサイズにより電子装置の後方に隠れ、表からは見えない。また、電子装置を容易に回転させることができ、取り付けた壁にダメージを与えることがあっても、その程度を最小限に抑えることができる。
【課題を解決するための手段】
【０００４】
一般に、一態様において、本発明の例示的な実施形態によれば、壁に装置を回動可能に取り付けるためのシステムであって、接触パッドを有する電源コネクタディスクと、中央開口部と、少なくとも１つの取付孔と、少なくとも１つの回転を抑制するためのタブとを有し、壁に取り付けられるように構成された壁側プレートと、周縁部から上向き方向に延伸する少なくとも１つの取付用ツノ部と、少なくとも１つの内側に突出する回転タブを有する円形の中央開口部とを有し、前記壁側プレートと同軸係合するように構成された回転体プレートと、円形内縁部によって画定される円形の中央開口部と、前記円形内縁部に沿って中央開口部の内部に延伸する少なくとも１つのストリップとを有し、前記回転体プレートおよび前記壁側プレートと同軸係合するように構成された正面プレートであって、壁側プレートと正面プレートとの間で回転体プレートを囲むように壁側プレートに固定される正面プレートと、前記接触パッドを受け入れる接触点と、前記取付用ツノ部を受け入れる少なくとも１つのスロットと、前記ストリップを受け入れる少なくとも１つのフラップとを有し、装置に結合される背面カバーとを備え、前記ストリップは、第１の位置において前記フラップ内に入るように配置され、前記ストリップは、第２の位置において前記フラップから外れるように配置され、前記壁側プレートおよび前記正面プレートに対する前記回転体プレートの回転は、少なくとも１つの回転抑制タブと少なくとも１つの回転タブとの相互作用により規定される、システムが提供されてもよい。
【０００５】
本発明のさまざまな例示的な実施形態の実装例は、以下に挙げる複数の特徴のうち１つ以上を含むものであってもよい。前記少なくとも１つのツノ部用スロットは、前記電子装置が垂直位置にあるとき、前記少なくとも１つの取付用ツノ部を下方から受け入れてもよい。前記第１の位置は水平位置であってもよく、前記第２の位置は垂直位置であってもよい。前記壁側プレート、前記回転体プレートおよび前記正面プレートの厚さは、合わせて約８ミリメートルであってもよい。前記壁側プレート、前記回転体プレートおよび前記正面プレートの厚さは、合わせて７．８ミリメートルを超えないものであってもよい。前記正面プレートは、前記壁側プレートにある前記少なくとも１つの取付孔と対応する少なくとも１つの取付孔をさらに備えてもよい。前記正面プレート上の前記少なくとも１つのストリップは、刃状部を有してもよい。前記壁側プレートは、電源ケーブル用のチャネルをさらに備えてもよい。前記接触パッドは弧状のものであってもよい。前記接触パッドは、電源に取り外し可能に取り付けられたコネクタに接続されてもよい。前記接触パッドは、前記回転中、前記電源接触点に継続的に電力を提供してもよい。前記壁側プレートは、ねじで壁に取り付けられるようにされてもよい。前記壁側プレートは、両面接着テープで壁に取り付けられるようにされてもよい。前記電子装置は、前記壁から２．５ｍｍ以下の位置に取り付けられてもよい。
【０００６】
別の態様において、本発明の例示的な実施形態によれば、壁に電子装置を回動可能に取り付けるための方法であって、一対の接触パッドを有する電源コネクタディスクを設けるステップと、中央開口部と、少なくとも１つの取付孔と、少なくとも１つの突出した回転抑制タブとを有し、壁に取り付けられるように構成された壁側プレートを設けるステップと、周縁部から上向き方向に延伸する少なくとも１つの取付用ツノ部と、少なくとも１つの内側に突出する回転タブを有する円形の中央開口部とを有し、前記壁側プレートと同軸係合するように構成された回転体プレートを設けるステップと、円形内縁部によって画定される円形の中央開口部と、前記円形内縁部に沿って中央開口部の内部に延伸する少なくとも１つのストリップとを有し、前記壁側プレートおよび前記回転体プレートと同軸係合するように構成された正面プレートであって、壁側プレートと正面プレートとの間で回転体プレートを囲むように壁側プレートに固定される正面プレートを設けるステップと、前記一対の接触パッドと接触する一対の電源接触点と、前記少なくとも１つの取付用ツノ部を受け入れる大きさの少なくとも１つのツノ部用スロットと、前記少なくとも１つのストリップを受け入れる大きさの少なくとも１つのフラップとを有し、前記電子装置に取り付けられるように構成された背面カバーを設けるステップと、前記壁側プレート、前記回転体プレートおよび前記正面を壁に取り付けるステップと、前記回転体プレートの上方に表示装置に接続された前記背面カバーを位置づけ、前記少なくとも１つのツノ部用スロットが前記少なくとも１つの取付用ツノ部の上部に置かれるように、表示装置に接続された前記背面カバーを回転体プレートの方へ下げるステップとを含み、前記ストリップは、第１の位置において前記フラップ内に入るように配置され、前記ストリップは、前記装置が第２の位置にあるとき、前記フラップから外れるように配置され、前記壁側プレートおよび前記正面プレートに対する前記回転体プレートの回転は、少なくとも１つの回転抑制タブと少なくとも１つの回転タブとの相互作用により規定される、方法が提供されてもよい。
【０００７】
本発明のさまざまな例示的な実施形態の実装例は、以下に挙げる複数の特徴のうち１つ以上を含むものであってもよい。前記少なくとも１つのツノ部用スロットは、前記電子装置が垂直位置にあるとき、前記少なくとも１つの取付用ツノ部を下方から受け入れてもよい。前記第１の位置は水平位置であってもよく、前記第２の位置は垂直位置であってもよい。前記壁側プレート、前記回転体プレートおよび前記正面プレートの厚さは、合わせて約８ミリメートルであってもよい。前記壁側プレート、前記回転体プレートおよび前記正面プレートの厚さは、合わせて７．８ミリメートルを超えないものであってもよい。前記正面プレートは、前記壁側プレートにある前記少なくとも１つの取付孔と対応する少なくとも１つの取付孔をさらに備えてもよい。前記正面プレート上の前記少なくとも１つのストリップは、刃状部を有してもよい。前記壁側プレートは、電源ケーブル用のチャネルをさらに備えてもよい。前記接触パッドは弧状のものであってもよい。前記接触パッドは、電源に取り外し可能に取り付けられたコネクタに接続されてもよい。前記接触パッドは、前記回転中、前記電源接触点に継続的に電力を提供してもよい。前記壁側プレートは、ねじで壁に取り付けられるようにされてもよい。前記壁側プレートは、両面接着テープで壁に取り付けられるようにされてもよい。前記電子装置は、前記壁から２．５ｍｍ以下の位置に取り付けられてもよい。
【０００８】
別の態様において、本発明の例示的な実施形態によれば、壁に表示装置を回動可能に取り付けるためのシステムであって、背面カバー有する表示装置と、一対の接触パッドを有する電源コネクタディスクと、中央開口部と、少なくとも１つの取付孔と、少なくとも１つの突出した回転抑制タブとを有し、壁に取り付けられるように構成された壁側プレートと、周縁部から上方に延伸する少なくとも１つの取付用ツノ部と、少なくとも１つの内側に突出する回転タブを有する円形の中央開口部とを有し、前記壁側プレートと同軸係合するように構成された回転体プレートと、円形内縁部によって画定される円形の中央開口部と、前記円形内縁部に沿って前記中央開口部の内部に延伸する少なくとも１つのストリップとを有し、前記回転体プレートおよび前記壁側プレートと同軸係合するように構成された正面プレートであって、壁側プレートと正面プレートとの間で回転体プレートを囲むように壁側プレートに固定される正面プレートとを備え、前記背面カバーは、前記一対の接触パッドと接触する一対の電源接触点と、前記取付用ツノ部を受け入れる大きさの少なくとも１つのツノ部用スロットと、前記少なくとも１つのストリップを受け入れる大きさの少なくとも１つのフラップとを有し、表示装置に取り付けられるように構成され、前記ストリップは、第１の位置において前記フラップ内に入るように配置され、前記ストリップは、第２の位置において前記フラップから外れるように配置され、前記壁側プレートおよび前記正面プレートに対する前記回転体プレートの回転は、少なくとも１つの回転抑制タブと少なくとも１つの回転タブとの相互作用により規定される、システムが提供されてもよい。
【０００９】
本発明のさまざまな例示的な実施形態の実装例は、以下に挙げる複数の特徴のうち１つ以上を含むものであってもよい。前記少なくとも１つのツノ部用スロットは、前記表示装置が垂直位置にあるとき、前記少なくとも１つの取付用ツノ部を下方から受け入れてもよい。前記第１の位置は水平位置であってもよく、前記第２の位置は垂直位置であってもよい。前記壁側プレート、前記回転体プレートおよび前記正面プレートの厚さは、合わせて約８ミリメートルであってもよい。前記壁側プレート、前記回転体プレートおよび前記正面プレートの厚さは、合わせて７．８ミリメートルを超えないものであってもよい。前記正面プレートは、前記壁側プレートにある前記少なくとも１つの取付孔と対応する少なくとも１つの取付孔をさらに備えてもよい。前記正面プレート上の前記少なくとも１つのストリップは、刃状部を有してもよい。前記壁側プレートは、電源ケーブル用のチャネルをさらに備えてもよい。前記接触パッドは弧状のものであってもよい。前記接触パッドは、電源に取り外し可能に取り付けられたコネクタに接続されてもよい。前記接触パッドは、前記回転中、前記電源接触点に継続的に電力を提供してもよい。前記壁側プレートは、ねじで壁に取り付けられるようにされてもよい。前記壁側プレートは、両面接着テープで壁に取り付けられるようにされてもよい。前記電子装置は、前記壁から２．５ｍｍ以下の位置に取り付けられてもよい。
【００１０】
別の態様において、本発明の例示的な実施形態によれば、壁に表示装置を回動可能に取り付けるための方法であって、一対の接触パッドを有する電源コネクタディスクを設けるステップと、中央開口部と、少なくとも１つの取付孔と、少なくとも１つの突出した回転抑制タブとを有し、壁に取り付けられるように構成された壁側プレートを設けるステップと、周縁部から上向き方向に延伸する少なくとも１つの取付用ツノ部と、少なくとも１つの内側に突出する回転タブを有する円形の中央開口部とを有し、前記壁側プレートと同軸係合するように構成された回転体プレートを設けるステップと、円形内縁部によって画定される円形の中央開口部と、前記円形内縁部に沿って中央開口部の内部に延伸する少なくとも１つのストリップとを有し、前記壁側プレートおよび前記回転体プレートと同軸係合するように構成された正面プレートであって、壁側プレートと正面プレートとの間で回転体プレートを囲むように壁側プレートに固定される正面プレートを設けるステップと、前記一対の接触パッドと接触する一対の電源接触点と、前記少なくとも１つの取付用ツノ部を受け入れる大きさの少なくとも１つのツノ部用スロットと、前記少なくとも１つのストリップを受け入れる大きさの少なくとも１つのフラップとを有し、前記表示装置の背面に取り付けられるように構成された背面カバーとを設けるステップと、前記壁側プレート、前記回転体プレートおよび前記正面を前記壁に取り付けるステップと、前記回転体プレートの上方に前記表示装置に接続された前記背面カバーを位置づけ、前記少なくとも１つのツノ部用スロットが前記少なくとも１つの取付用ツノ部の上部に置かれるように、表示装置に接続された前記背面カバーを前記回転体プレートの方へ下げるステップとを含み、前記ストリップは、第１の位置において前記フラップ内に入るように配置され、前記ストリップは、前記装置が第２の位置にあるとき、前記フラップから外れるように配置され、前記壁側プレートおよび前記正面プレートに対する前記回転体プレートの回転は、前記少なくとも１つの回転抑制タブと前記少なくとも１つの回転タブとの相互作用により規定される、方法が提供されてもよい。
【００１１】
本発明のさまざまな例示的な実施形態の実装例は、以下に挙げる複数の特徴のうち１つ以上を含むものであってもよい。前記少なくとも１つのツノ部用スロットは、前記表示装置が垂直位置にあるとき、前記少なくとも１つの取付用ツノ部を下方から受け入れてもよい。前記第１の位置は水平位置であってもよく、前記第２の位置は垂直位置であってもよい。前記壁側プレート、前記回転体プレートおよび前記正面プレートの厚さは、合わせて約８ミリメートルであってもよい。前記壁側プレート、前記回転体プレートおよび前記正面プレートの厚さは、合わせて７．８ミリメートルを超えないものであってもよい。前記正面プレートは、前記壁側プレートにある前記少なくとも１つの取付孔と対応関係のある位置に設けられた少なくとも１つの取付孔をさらに備えてもよい。前記正面プレート上の前記少なくとも１つのストリップは、刃状部を有してもよい。前記壁側プレートは、電源ケーブル用のチャネルをさらに備えてもよい。前記接触パッドは弧状のものであってもよい。前記接触パッドは、前記回転中、前記電源接触点に継続的に電力を提供してもよい。前記壁側プレートは、ねじで壁に取り付けられるようにされてもよい。前記壁側プレートは、両面接着テープで壁に取り付けられるようにされてもよい。前記電子装置は、前記壁から２．５ｍｍ以下の位置に取り付けられてもよい。
【図面の簡単な説明】
【００１２】
【図１】本発明のウォールマウントの全体斜視図を示す。
【図２】図２Ａは、ウォールマウントを用いた電子装置の回転を示す。図２Ｂは、ウォールマウントを用いた電子装置の回転を示す。
【図３】図３Ａは、壁に取り付けられたウォールマウントの図である。図３Ｂは、壁と電子装置との間のウォールマウントを示す、壁に取り付けられた電子装置の拡大側面図である。
【図４】図４Ａは、ウォールマウントの正面図である。図４Ｂは、ウォールマウントの側面図である。
【図５】電源コネクタディスクを備えたウォールマウントの分解図である。
【図６】図６Ａは、壁側プレートの正面斜視図である。図６Ｂは、壁側プレートの背面斜視図である。
【図７】図７Ａは、回転体リングの正面斜視図である。図７Ｂは、回転体リングの背面斜視図である。
【図８】図８Ａは、正面プレートの正面斜視図である。図８Ｂは、正面プレートの背面斜視図である。
【図９】図９Ａは、第１の組立工程における壁側プレートと係合した回転体リングの新たな斜視図である。図９Ｂは、第２の組立工程における正面プレート、回転体リングおよび壁側プレートの正面図である。図９Ｃは、第３の組立工程における正面プレート、回転体リングおよび電源コネクタディスクの正面図である。
【図１０−１】図１０Ａは、図１０Ｂに示す細部の領域を示すウォールマウントの正面図である。図１０Ｂは、ウォールマウントおよび電源コネクタディスクの上半分の断面図である。
【図１０−２】図１０Ｃに示す細部の領域を示すウォールマウントの断面図である。図１０Ｄは、正面プレート、回転体リングおよび壁側プレートの間の相互作用を示すウォールマウントの下半分の詳細図である。
【図１１】図１１Ａは、電子装置の背面カバーの正面図である。図１１Ｂは、電子装置の背面カバーの詳細図である。
【図１２】図１２Ａは、電子装置の背面カバーの斜視図である。図１２Ｂは、電子装置の背面カバーの斜視詳細図である。
【図１３】図１３Ａは、図１３Ｂに示す細部の領域を示す、垂直位置にある背面カバーの正面図である。図１３Ｂは、背面プレートと係合した垂直位置にあるウォールマウントの断面詳細図である。
【図１４】図１４Ａは、図１４Ｂに示す細部の領域を示す水平位置にある背面カバーの正面図である。図１４Ｂは、背面プレートと係合した水平位置にあるウォールマウントの断面詳細図である。
【図１５】ウォールマウントに背面プレートを設置した状態の正面図を示す。表示装置は図示せず、背面プレートは透過させた状態である。
【図１６】背面プレートにおけるウォールマウントの正面図を示す。表示装置は図示せず、背面プレートは透過させた状態である。
【図１７】ウォールマウントにおける背面プレートおよび回転体プレートの回転を正面側から見た図を示す。表示装置は図示せず、背面プレートは透過させた状態である。
【図１８】ウォールマウントにおける背面プレートおよび回転体プレートのさらなる回転を示す。表示装置は図示せず、背面プレートは透過させた状態である。
【図１９】ウォールマウントにおける背面プレートおよび回転体プレートのさらなる回転を示す。表示装置は図示せず、背面プレートは透過させた状態である。
【図２０】背面プレートにおけるウォールマウントの背面図を示す。壁側プレートおよび電源ディスクは図示していない。
【図２１】背面プレートの適所にあるウォールマウントを示す。壁側プレートは図示していない。
【図２２】ウォールマウントにおける背面プレートおよび回転体プレートの回転を背面側から見た図を示す。壁側プレートは図示していない。
【図２３】ウォールマウントにおける背面プレートおよび回転体プレートのさらなる回転を背面側から見た図を示す。壁側プレートは図示していない。
【図２４】ウォールマウントにおける背面プレートおよび回転体プレートのさらなる回転を背面側から見た図を示す。壁側プレートは図示していない。
【図２５】ウォールマウント内の電源ディスクの正面図である。
【図２６】図２６Ａは、電源ディスクの正面図である。図２６Ｂは、電源ディスクの側面図である。図２６Ｃは、電源ディスクの斜視図である。
【図２７】電源ディスクの分解図である。
【図２８】図２８Ａは、電源ディスクに使用される電気ケーブルを切り離す様子を示す図である。図２８Ｂは、電源ディスクに使用されるワイヤおよびケーブルの詳細図である。
【図２９】図２９Ａは、ストレインリリーフにおける電源ディスクのワイヤの正面図である。図２９Ｂは、ワイヤと接触する接触パッドの詳細図である。図２９Ｃは、接触パッドをストレインリリーフに通したワイヤにつなぐ様子を示す図である。
【図３０】図３０Ａは、組立前の接触パッドを示す。図３０Ｂは、接触パッドを組み立てる様子を示す図である。
【図３１】ストレインリリーフ、ワイヤおよび接触パッドの配置を示す、カバーがない状態の電源ディスクの正面図である。
【図３２】図３２Ａは、ワイヤを主要ディスクに固定する様子を示す図である。図３２Ｂは、固定用接着剤をワイヤに塗布する場所を示す図である。
【図３３】図３３Ａは、電源ディスク上に配置されているカバーを斜め正面側から見た図である。図３３Ｂは、電源ディスク上に配置されているカバーを斜め背面側から見た図である。
【図３４】図３４Ａは、図３４Ｂに示す細部の領域を示す側断面図である。図３４Ｂは、ウォールマウントにおける電源コネクタディスクの詳細断面図である。
【図３５】図３５Ａは、図３５Ｂに示す断面図の配置を示す、ウォールマウントの全体斜視図である。図３５Ｂは、ウォールマウントおよび電源コネクタディスクの全体断面図である。
【発明を実施するための形態】
【００１３】
好ましくは、本発明のウォールマウント１０の実施形態により、ユーザが装置への持続的な力を失うことなく装置を横向きと縦向きとの間で容易に回転させることができるように、表示装置５０を壁に固定して取り付けることが可能になる。ウォールマウントは、一端側で壁に固定され、他端側で表示装置に連結される。ウォールマウント１０は、好ましくは、最厚箇所の厚さが７．８ミリメートル、最薄箇所の厚さが５．７ミリメートル、直径が２８８ミリメートルである。厚みのある上側部分とそれよりも薄い下側部分を備える好ましい実施形態のこのような測定寸法は、図４に示されている。
【００１４】
ウォールマウントは、表示装置に接続され、壁に取り付けられた場合、壁からおよそ２．５ミリメートルの位置に装置を保持する。ウォールマウントは、図１および図５から分かるように、４つの主要な構成部品、すなわち、壁側プレートと、正面プレートと、回転体リングと、電源ディスクとから構成される。ウォールマウントの部品は、好ましくは、摩擦を低減させるようにテフロン加工され、鋼製のものが好ましいが、種々の材料から作られるものであってもよい。
【００１５】
図６に示す壁側プレート２０は、壁に最も近い位置にあり、ねじや他の固定機構で壁面に固定される円形部品である。壁側プレート２０の中央部には、凹状の円形縁部に囲まれた円形オリフィス２１があり、電源ディスク７０を壁側プレートおよびウォールマウント１０の他の構成部品が取り囲むように、電源ディスク７０が凹状の円形縁部に係合する。外側の壁側プレートには、壁側プレートを壁に取り付けて固定するためのねじまたは両面接着テープなどの他のツールのための複数の孔２２と、中心から可変距離の位置に壁側プレートの他の構成部品と相互作用するための複数の凹凸状のリング２３とがある。これらの凹みのあるリングの少なくとも１つが、回転体リング３０と相互作用し、本発明の回転範囲を制限し、半径方向に互いに対向する２つのストッパ２４を有する。
【００１６】
図７に示す回転体リング３０は、壁側プレート２０の最も外側の部分に位置づけられるように形成される。回転体リングも同様に、中央部に円形オリフィス３１を備える円形状のものである。
【００１７】
回転体プレートの外縁部の上部には、表示装置５０の背面カバー８０と連結し、壁６０に取り付けられると表示装置５０を適所に保持する突出した取付用ツノ部３２があることが好ましい。また、回転体リングは、壁側プレート上のストッパと相互作用して回転範囲を定める拡張部３３を内縁部に有する。
【００１８】
正面プレート４０は、回転体リング３０の内側部分にわたって嵌まり、中央部にある壁側プレートの中心と縁部との間にほぼ位置する半径方向の位置で、壁側プレート２０と係合する。正面プレート４０も、中央オリフィス４１を備える円形状のものである。正面プレートの内縁部は、図９に示すように、組立時に壁側プレートの取付孔２２を覆わない溝孔をなす複数の大径弧状部分４２を有するような形状を有する。また、正面プレートの内縁部は、刃状部４５を備える複数の小径弧状部分４３を有するような形状を有する。これらの小径弧状部分は、図２４に示すように、装置が水平方向に向けられるときに装置を固定するように装置の背面カバー８０の後ろ側に嵌まるタブを構成する。また、正面プレートの外円部分には、壁側プレート２０にある取付孔２２の少なくともいくつかと一致する孔であって、ねじや他の装置で２つの構成要素をつなぎ合わせ、これらの構成部品間で回転体リング３０を効果的に取り囲むようにするための孔４４がある。好ましい実施形態において、孔２２や４４内を通るねじや他の機構は、壁６０まで延伸し、ウォールマウント１０を壁や他の表面上の適所に保持する。この実施形態は、図１０Ａ、図１０Ｂ、図３４Ａ、図３４Ｂ、図３５Ａおよび図３５Ｂに示されている。
【００１９】
電源ディスク７０は、図１、図３４Ａ，図３５Ａおよび図３５Ｂから分かるように、ウォールマウント１０の中央部に置かれ、表示装置に電気を供給する。図３４Ｂに、本発明の一実施形態における壁側プレートの電源ディスク内部の詳細図を示す。電源ディスクは、５つの構成部品、すなわち、主要ディスク７１と、２つの接触パッド７２と、ワイヤ７３と、ストレインリリーフ７４と、カバー７５とから構成される。主要ディスク７１は、図２７から分かるように、主要ディスクの中央部に窪んだ区画部分を作る隆起した弧状部分を有する円形状のものである。これらの弧状部分は、電気接触パッド７２を取り囲んで保護するものである。電気接触パッド７２は、装置５０に電力を供給し、好ましくは、主要ディスク７１の中央部に位置する。主要ディスクは、ワイヤおよびストレインリリーフを囲む突出部をさらに備え、突出部は、カバー部品７５が載置される土台となって、保護された区画部分を作り出し、この場所でワイヤ７３が接触パッド７２とつながる。主要ディスクは、絶縁ワイヤ用のさらなる窪みを備えることが好ましい。いくつかの実施形態において、主要ディスクは、カバー部品７６にある複数の杭のそれぞれを介してカバー部品７５を接続するための複数のオリフィスをさらに備える。接触パッド７２は、正に帯電される金属板と負に帯電される金属板からなる２つの金属板であり、図３１に示すように主要ディスクの面の窪みに置かれ、好ましくは、接着剤で主要ディスクに固定される。接触パッドは、主要ディスク７１の中央部に電気を伝えるような形状のものであり、装置の向きの変化に伴った表示装置の接触点の回転に対応できるように、好ましくは、組立時に他の構成部品と同心円の半径を有する弧状である。接触パッド７２の材料は、最も効率的かつ安価に電気を伝導する銅やアルミニウムなどの材料が好ましいが、電気を伝導するものであれば任意のものであってもよい。また、接触パッドは、図３０Ａに示すように、下側縁部の付近に２つの孔が縦方向に配置された金属シートから形成されたものであってもよい。上側の孔は接触パッドを主要ディスク７１に固定する構造を与え、下側の孔は、ワイヤ７３用の接続点を与える。図３０Ｂに示されているように、金属シートは、後で好ましい形状にカットされてもよい。接触パッドの背面に両面テープの裏材を剥がして両面テープが貼りつけられることが好ましい。接触パッドの下部に取り付けられたワイヤ７３は、好ましくは、接触パッドを電源に接続する。電源は、電源の取り替えを容易に行うことができるコネクタ（図示せず）によって電源ディスクに接続された電線の形態のものである。ワイヤ７３は、任意の伝導性材料で作られうる。図２８Ａから分かるように、好ましい実施形態では、標準的な２芯ケーブルを採用している。好ましい実施形態では、小型（Ｅｘａｃｔｏ−ｔｙｐｅ）ナイフを用いて２芯ケーブルのワイヤを端部から３５ミリメートルの位置で切り離す。そして、図２８Ｂに示すように、端部から２５ミリメートル分の絶縁を剥がす。図２９Ａに示すように、ワイヤ７３はできるだけ絶縁された状態にする。次に、ストレインリリーフ７４を、ワイヤの端部にわたってケーブルの分割位置を少し過ぎた辺りまで動かす。好ましい実施形態では、図２９Ａに示すように、ストレインリリーフには、対応するワイヤ７３と整合する正負の印がある。図２９Ｂに示すように正および負の接触パッド７２が特定されると、ワイヤ７３を接触パッドの端部にある下側の孔に通し、適所にはんだ付けしてもよい。最も低い位置にある孔にワイヤ７３を接続し、上側の孔には何も通さないままにする。接触パッド７２を、ストレインリリーフを介して主要ディスクの面に平坦に固定する。そして、図３１に示すように、ケーブルとストレインリリーフとともに、接触パッドを主要ディスクに配置する。絶縁ワイヤ７３は、主要ディスクの窪みからは出ないようにする。それぞれのワイヤの露出部分を互いに接触させてはならない。組み付けの位置合わせが済んだ後、図３２Ａに示すように、グルーガンを用いてホットメルト接着剤を多めに塗布してワイヤ７２を固定する。図３２Ｂに、接着剤の位置を強調して示している。このような接着剤の使用で、張力を逃がすことや、それぞれのワイヤの露出部分が切り離され絶縁された状態を保つことが得られる。最後に、一連の杭を有するカバー７５を主要ディスク７１の突出部と係合させる。カバー７５により、カバーと主要ディスク７１との間に接触パッド７２、ワイヤ７３およびストレインリリーフ７４が収容される。カバーは、ホットメルト接着剤が硬化する前に配置されて適所に固定されることが好ましく、このような配置および固定は、図３３Ｂに示すように、カバー７６から突出し主要ディスク７１の孔内にある杭を溶融させて行うことが好ましい。
【００２０】
好ましくは、表示装置５０は、装置をウォールマウント１０に接続する背面カバー８０を備える。背面カバー８０は、一般に、背面カバーの中央にくるようにウォールマウントを一体化させる窪み、オリフィスおよび突出部を備える鋼プレートである。詳細には、背面カバー８０は、回転体リング３０の取付用ツノ部３１と連結する複数のスロット８１を有する。これらのスロット８１は、表示装置５０が垂直位置にあるとき、取付用ツノ部３１がウォールマウント１０の最上位にくる位置に設けられる。また、背面カバー８０は、正面プレートの小径弧状部分４３と連結する位置に設けられた２つの隆起したフラップ８２を有する。弧状部分４３の刃状部４５は、フラップ８２の下方で滑動する。刃状部は、装置が横向きにあるとき、一方のフラップ８２が回転地点の上方にあり、他方のフラップ８２が回転地点の下方にあることで、装置を両方の方向で支持する位置に設けられる。この設計は図１５に示されている。好ましくは、スロットおよびフラップは、背面カバー８０を形成するシートメタルに打ち抜きや型押しの加工が施されて設けられる。装置５０および背面カバー８０が回転すると、フラップ８２は回転地点側に動くため、装置が縦向きにあるときは正面プレートと連結しない。この動きは、図２１から図２４に示されており、同図では壁側プレートは見えない。
【００２１】
装置５０は、ウォールマウントの少し上方に装置を配置することによって、ウォールマウント１０に縦向きに取り付けられる。ユーザが装置５０をウォールマウント１０の方へ下げると、取付用ツノ部３１は、装置５０が下方に滑りながら背面カバーの対応するスロット８１に取り込まれる。下側のブレード４５は、図１６に示すように、この位置においてフラップ８２と部分的に係合する。図２０に示すように、取付用ツノ部３１とスロット８１とが接続することで、装置が壁に保持される。その後、ユーザは、装置の端や角を押したり引いたりするだけで、装置５０を回転させて横向きにすることができる。このような操作で、正面プレートの拡張部４３および刃状部４５にわたって正面プレート４０と壁側プレート２０のコアとの間のチャネルに沿って背面カバーの隆起したフラップが滑動し、装置が動いて背面カバーが回転する。このように、装置５０は、横向きのさい上方および下方で正面プレート４０にロックされた状態でフラップ８２に支持されることで、取付用ツノ部だけではなく隆起したフラップを介して壁に固定されることになる。したがって、スロット８１は、本発明が縦向きに取り付けられるときに係合され、フラップ８２は、本発明を横向きに回転させたときに係合される。
【００２２】
当業者であれば、本発明の範囲から逸脱することなく、構成要素にさまざまな変更を加えたり、構成要素を同等のものに置き換えたりしてもよいことを理解するであろう。さらに、本発明の範囲から逸脱することなく、本発明の教示に特定の特徴または材料を適応させるために多くの修正がなされてもよい。したがって、本発明は、開示した特定の実施形態に限定されるものではなく、特許請求の範囲内のあらゆる実施形態を含むものである。
【図１】
2019511109.tif 000003
【図２Ａ】
2019511109.tif 000004
【図２Ｂ】
2019511109.tif 000005
【図３Ａ−３Ｂ】
2019511109.tif 000006
【図４Ａ】
2019511109.tif 000007
【図４Ｂ】
2019511109.tif 000008
【図５】
2019511109.tif 000009
【図６Ａ】
2019511109.tif 000010
【図６Ｂ】
2019511109.tif 000011
【図７Ａ】
2019511109.tif 000012
【図７Ｂ】
2019511109.tif 000013
【図８Ａ】
2019511109.tif 000014
【図８Ｂ】
2019511109.tif 000015
【図９Ａ】
2019511109.tif 000016
【図９Ｂ】
2019511109.tif 000017
【図９Ｃ】
2019511109.tif 000018
【図１０−１】
2019511109.tif 000019
【図１０−２】
2019511109.tif 000020
【図１１】
2019511109.tif 000021
【図１２】
2019511109.tif 000022
【図１３】
2019511109.tif 000023
【図１４】
2019511109.tif 000024
【図１５】
2019511109.tif 000025
【図１６】
2019511109.tif 000026
【図１７】
2019511109.tif 000027
【図１８】
2019511109.tif 000028
【図１９】
2019511109.tif 000029
【図２０】
2019511109.tif 000030
【図２１】
2019511109.tif 000031
【図２２】
2019511109.tif 000032
【図２３】
2019511109.tif 000033
【図２４】
2019511109.tif 000034
【図２５】
2019511109.tif 000035
【図２６Ａ】
2019511109.tif 000036
【図２６Ｂ】
2019511109.tif 000037
【図２６Ｃ】
2019511109.tif 000038
【図２７】
2019511109.tif 000039
【図２８Ａ】
2019511109.tif 000040
【図２８Ｂ】
2019511109.tif 000041
【図２９Ａ】
2019511109.tif 000042
【図２９Ｂ】
2019511109.tif 000043
【図２９Ｃ】
2019511109.tif 000044
【図３０Ａ】
2019511109.tif 000045
【図３０Ｂ】
2019511109.tif 000046
【図３１】
2019511109.tif 000047
【図３２Ａ】
2019511109.tif 000048
【図３２Ｂ】
2019511109.tif 000049
【図３３Ａ】
2019511109.tif 000050
【図３３Ｂ】
2019511109.tif 000051
【図３４】
2019511109.tif 000052
【図３５】
2019511109.tif 000053
【国際調査報告】
2019511109.tif 000054